(57)【要約】【課題】飲料容器落下時の商品取出し口における落下衝撃性を和らげるクッション性と容器表面の露付き防止性を有する飲料用自動販売機を提供すること。【解決手段】表裏二層の編地とこれらを連結する連結糸からなる立体編物が商品取出し口の底部に敷設されている飲料用自動販売機であって、該立体編地の厚さが２〜３０ｍｍであり、該立体編地の厚さを直径２００ｍｍの円盤により２５％圧縮する際の圧縮硬さが１００〜２０００Ｎであることを特徴とする飲料用自動販売機。【選択図】なし【特許請求の範囲】
【請求項１】
表裏二層の編地とこれらを連結する連結糸からなる立体編物が商品取出し口の底部に敷設されている飲料用自動販売機であって、該立体編物の厚さが２〜３０ｍｍであり、該立体編物の厚さを直径２００ｍｍの円盤により２５％圧縮する際の圧縮硬さが１００〜２０００Ｎであることを特徴とする飲料用自動販売機。
【発明の詳細な説明】
【技術分野】
【０００１】
本発明は、立体編物が敷設されている飲料用自動販売機に関する。
【背景技術】
【０００２】
従来より、飲料用自動販売機においては重量の大きい缶・瓶・ペットボトル等の容器に入った飲料が上部より商品取出し口に向かって落下する際にその衝撃で、不快な音が発生する、あるいは容器そのものが変形するという問題が多い。対策として、商品取出し口底部にゴム・樹脂製等の緩衝材を配置して、これらの衝撃を和らげる場合が多い（例えば特許文献１参照）。しかし、底部に緩衝材を配置する場合でも、商品落下時の衝撃を完全に吸収できないだけでなく、ゴム・樹脂製の緩衝材の場合、緩衝材表面に既に落下した飲料容器の水滴が残りそれが次に落下した飲料容器についてしまうという問題点があった。
【０００３】
【特許文献１】特開平８−３１５２３０号公報
【発明の開示】
【発明が解決しようとする課題】
【０００４】
本発明は、前記問題点を解決し、飲料用自動販売機の商品取出し口における飲料容器の落下時の衝撃と音を和らげるクッション性を有し、さらには容器への露付き防止性を兼ね備えた飲料用自動販売機を提供することを目的とする。
【課題を解決するための手段】
【０００５】
本発明者は上記の目的を達成するため、立体編物の厚み、圧縮硬さ等を鋭意検討した結果、本発明を完成するに至った。
すなわち、本発明は以下の通りである。
（１）表裏二層の編地とこれらを連結する連結糸からなる立体編物が商品取出し口の底部に敷設されている飲料用自動販売機であって、該立体編物の厚さが２〜３０ｍｍであり、該立体編物の厚さを直径２００ｍｍの円盤により２５％圧縮する際の圧縮硬さが１００〜２０００Ｎであることを特徴とする飲料用自動販売機。
【発明の効果】
【０００６】
本発明の立体編物付き飲料用自動販売機は、商品取出し口の底部に適正な厚み、圧縮硬さを有する立体編物を使用しているため、飲料容器の落下時の衝撃を和らげることのできる自動販売機である。又、立体編物を使用することにより、容器への露付きを防止することのできる自動販売機である。
【発明を実施するための最良の形態】
【０００７】
以下、本発明を詳細に説明する。
本発明の底部に用いる立体編物とは、表裏二層の編地を連結糸で連結した立体的な編物のことをいい、例えばダブルラッセル編機やダブル丸編機等、２列の針列を有する編機で形成される編物を指す。
【０００８】
立体編物の連結糸に用いる繊維素材としては、ポリトリメチレンテレフタレート繊維、ポリエチレンテレフタレート繊維、ポリブチレンテレフタレート繊維、ポリアミド繊維、ポリプロピレン繊維、ポリ塩化ビニル繊維、ポリエステル系エラストマー繊維等、任意の合成繊維を用いることができるが、長期使用時の圧縮耐久性を向上させて厚み減少を抑えるためには、ポリトリメチレンテレフタレート繊維、ポリブチレンテレフタレート繊維、ポリアミド繊維を用いることが好ましく、ポリトリメチレンテレフタレート繊維がさらに好ましい。
【０００９】
連結糸にはマルチフィラメントやモノフィラメントを用いることが出来るが、飲料容器落下時の衝撃を和らげるためのクッション性を持たせるためにモノフィラメントを用いることがより好ましい。
【００１０】
尚、連結糸に用いる繊維の繊度は２０〜１２００デシテックスが好ましく、より好ましくは３０〜７００デシテックス、更に好ましくは３０〜５００デシテックスである。連結糸の繊度が２０デシテックス未満であると、クッション性が不十分となり、１２００デシテックスを超えると、特にモノフィラメントの場合、剛性が高くなり衝撃吸収が困難となる。
【００１１】
又、表裏の編地を形成する繊維素材としては、ポリエステル系繊維、ポリアミド系繊維、ポリアクリル系繊維、ポリプロピレン系繊維等の合成繊維、綿、麻、ウール等の天然繊維、キュプラレーヨン、ビスコースレーヨン、リヨセル等の再生繊維等、任意の繊維を用いることができる。特に、ポリエステル系繊維、ポリプロピレン系繊維等の吸湿性の低い繊維を用いることが、容器への露付きを防止する上でより好ましい。
尚、表裏の編地を形成する繊維の繊度は５０〜１０００デシテックスのものを好ましく用いることができる。
【００１２】
本発明の商品取出し口の底部に用いる立体編物は、飲料容器の落下時の衝撃と音を和らげるための適度なクッション性を保持し、長期使用しても厚みが潰れてしまうことのない耐久性をもたせる上で、直径２００ｍｍの円盤により立体編地の厚さを２５％圧縮する際の圧縮硬さ、即ち、立体編地の厚さを初期の厚みの２５％圧縮する際の圧縮硬さが１００〜２０００Ｎであることが好ましい。
【００１３】
立体編地の圧縮硬さが１００Ｎ未満であると、飲料容器の落下時の衝撃を和らげるための適度なクッション性を有しないと共に、圧縮の耐久性に乏しく潰れ易いものとなる。又、圧縮硬さが２０００Ｎを超えると、剛性が高くなりすぎて容器の衝撃を和らげるクッション効果がなくなる。立体編地のより好ましい圧縮硬さは、１５０〜１８００Ｎであり、さらに好ましくは２００〜１５００Ｎである。
【００１４】
尚、立体編物は連結糸の形態により硬さや圧縮耐久性が変化するが、立体編地が圧縮される際に表裏の編地がせん断によりずれて圧縮されるのを防止し、長期間圧縮される際の耐久性を向上させて厚み減少を防止する上で、立体編物の連結糸は、編み始め方向の断面から見て、少なくとも２本の連結糸が表裏の編地を互いに逆方向に斜めに傾斜してクロス状（Ｘ状）又はトラス状に連結されていることが好ましい。この際、クロス状、トラス状共に連結糸が２本の連結糸で構成されていてもよく、１本の同一の連結糸が表又は裏面で折り返し、見かけ上２本となっている場合であっても良い。又、クロス状、トラス状の形状は、同一コース上で形成されていても良く、異なるコース上で形成されていても良い。
【００１５】
立体編物の厚みは２〜３０ｍｍである必要があり、２ｍｍ未満では容器への衝撃を和らげるクッション性に乏しく、３０ｍｍを超えると自動販売機の商品取出し口に敷設し難くなる。立体編地のより好ましい厚みの範囲は３〜２０ｍｍである。
【００１６】
本発明の飲料用自動販売機に用いられる立体編物は、本発明の目的を損なわない範囲でウレタン系、ポリエチレン系、シリコン系、アクリル系、ポリアミド系、エステル系、ゴム系等の樹脂が含浸やコーティング加工されていても良い。又、立体編物は１枚で構成されていても良く、立体編物を複数枚積層して形成されていても良い。又、立体編物が衝撃吸収性能を有するその他のシート、例えば、ウレタン系、ポリエチレン系、シリコン系、アクリル系、ポリアミド系、エステル系、ゴム系、熱可塑性エラストマー等の樹脂シートやこれらの発泡体シート、立体網状構造体、不織布、立体織物等と積層されていても良い。
又、立体編物はより水滴の付着を防止するために吸水加工が施されていても良い。
【実施例】
【００１７】
以下、本発明を実施例により具体的に説明するが、本発明はこれらのみに限定されるものではない。尚、実施例中の各特性の評価および測定は下記の方法で行った。
【００１８】
（１）立体編物の厚み（ｍｍ）
試料を１０ｃｍ角に切り取り、（株）尾崎製作所製、ＪＡ型特殊ダイヤルシックネスゲージ（ピーコック）を用い、直径３０ｍｍの測定板で挟んだ状態で厚みを測定する。測定は５回行い平均値を求める。
【００１９】
（２）圧縮硬さ（Ｎ）
島津オートグラフＡＧ−Ｂ型（（株）島津製作所製）を用い、直径２００ｍｍの圧縮板により、剛体平面上に置いた２５ｃｍ角の立体編地を１００ｍｍ／ｍｉｎの速度で立体編地の初期の厚みの２５％を圧縮した後、直ぐに１００ｍｍ／ｍｉｎの速度で開放する。この際の２５％圧縮時の荷重（Ｎ）を測定する。
【００２０】
［実施例１］
６枚筬を装備した１４ゲージ、釜間１４ｍｍのダブルラッセル編機を用い、表面編地を形成する筬（Ｌ１、Ｌ２）及び裏面編地を形成する筬（Ｌ５、Ｌ６）から５００ｄｔｅｘ／１４４フィラメントのポリエチレンテレフタレート原糸を、連結糸用の筬（Ｌ３、Ｌ４）から４４０ｄｔｅｘのポリエチレンテレフタレートモノフィラメントを、Ｌ１、Ｌ３、Ｌ５の筬に１イン１アウトの配列で、Ｌ２、Ｌ４、Ｌ６の筬に１アウト１インの配列で供給した。下記の（編組織１）に示す編組織で、機上コース１３コース／２．５４ｃｍの密度で生機を編成し、得られた生機を１８０℃×２分で幅出し乾熱ヒートセットを行い、１５コース／２．５４ｃｍ、１２ウエール／２．５４ｃｍ、厚さ１１．０ｍｍ、２５％圧縮硬さが７２０Ｎの立体編物を得た。
【００２１】
得られた立体編物を飲料用自動販売機の商品取出し口の底部に敷設し、本発明の飲料用自動販売機を得た。得られた自動販売機の商品取出し口の模式図を図１に示す。
得られた自動販売機は、商品取出し口の底部に適正な厚み、圧縮硬さを有する立体編物を使用しているため、飲料容器の落下時の衝撃を和らげることのできるものであった。又、立体編物を使用することにより、容器への露付きを防止することのできるものであった。
【００２２】
（編組織１）
Ｌ１：４６４４／４２４４／４６４４／４２２２／
２０２２／２４２２／２０２２／２４４４／
Ｌ２：２０２２／２４２２／２０２２／２４４４／
４６４４／４２４４／４６４４／４２２２／
Ｌ３：４２４２／８10８10／４２４２／４６４６／
６８６８／２０２０／６８６８／６４６４／
Ｌ４：６８６８／２０２０／６８６８／６４６４／
４２４２／８10８10／４２４２／４６４６／
Ｌ５：４４４６／４４４２／４４４６／４４４２／
２２２０／２２２４／２２２０／２２２４／
Ｌ６：２２２０／２２２４／２２２０／２２２４／
４４４６／４４４２／４４４６／４４４２／
【００２３】
［実施例２］
６枚筬を装備した９ゲージ、釜間２２ｍｍのダブルラッセル編機を用い、表面編地を形成する筬（Ｌ１、Ｌ２）及び裏面編地を形成する筬（Ｌ５、Ｌ６）から１０００ｄｔｅｘ／２８８フィラメントのポリエチレンテレフタレート原糸を、連結糸用の筬（Ｌ３、Ｌ４）から９８０ｄｔｅｘのポリエチレンテレフタレートモノフィラメントを、Ｌ１、Ｌ３、Ｌ５の筬に１イン１アウトの配列で、Ｌ２、Ｌ４、Ｌ６の筬に１アウト１インの配列で供給した。上記の（編組織１）に示す編組織で、機上コース１１コース／２．５４ｃｍの密度で生機を編成し、得られた生機を１８０℃×２分で幅出し乾熱ヒートセットを行い、１２コース／２．５４ｃｍ、８．５ウエール／２．５４ｃｍ、厚さ１７．０ｍｍ、２５％圧縮硬さが１２８０Ｎの立体編物を得た。
【００２４】
得られた立体編物を飲料用自動販売機の商品取出し口の底部に敷設し、実施例１と同様にして、本発明の飲料用自動販売機を得た。
得られた自動販売機は、商品取出し口の底部に適正な厚み、圧縮硬さを有する立体編物を使用しているため、飲料容器の落下時の衝撃を和らげることのできるものであった。又、立体編物を使用することにより、容器への露付きを防止することのできるものであった。
【００２５】
［比較例１］
飲料用自動販売機の商品取出し口の底部に衝撃緩衝材として厚み１０ｍｍのゴム製のシートを敷設し、実施例１と同様にして飲料用自動販売機を得た。
得られた自動販売機は底部緩衝材が硬いため、衝撃を吸収しにくく、飲料容器の落下時の激突音を和らげる効果は低く、また衝突時の衝撃による容器変形を低減する効果も低かった。又、緩衝材の表面に既に落下した飲料容器の水滴が残りそれが次に落下した飲料容器についてしまうという問題点も発生した。
【００２６】
［比較例２］
６枚筬を装備した２２ゲージ、釜間２．０ｍｍのダブルラッセル編機を用い、表面の編地を形成する筬（Ｌ１、Ｌ２）から１１０ｄｔｅｘ／６０フィラメントのポリエチレンテレフタレート原糸を３イン１アウトの配列で供給し、連結糸用の筬（Ｌ３、Ｌ４）から３３ｄｔｅｘのポリエチレンテレフタレートモノフィラメントをオールインの配列で供給し、又、裏面の編地を形成する筬（Ｌ５、Ｌ６）から、１１２ｄｔｅｘ／３６フィラメントのポリエチレンテレフタレート原糸をオールインの配列で供給し、機上コース３１．８コース／２．５４ｃｍの密度で生機を編成し、得られた生機を精練、ヒートセット後、コース密度４０個／２．５４ｃｍ、ウエール密度２５個／２．５４ｃｍ、厚さ１．８ｍｍ、２５％圧縮硬さが９５Ｎの立体編物を得た。
【００２７】
得られた立体編物を飲料用自動販売機の商品取出し口の底部に敷設し、実施例１と同様にして、飲料用自動販売機を得た。
得られた自動販売機は、商品取出し口の底部に敷設された立体編物に充分な厚みがないため、飲料容器落下時の衝撃吸収が充分でなく、飲料容器の落下時の激突音を和らげる効果は低く、又衝突時の衝撃による容器変形を低減する効果が低かった。又、立体編物の厚みが充分でないため、その内部での空隙が小さく、既に落下した飲料容器の水滴が下に落ちず、次に落下した飲料容器に水滴がついてしまうという問題点もあまり解消されなかった。
【産業上の利用可能性】
【００２８】
本発明は、飲料用自動販売機に関し、商品取出し口の底部に飲料容器の落下衝撃を和らげるクッション性とその水滴を下方の空間に拡散する容器表面の露付きの防止性を有する立体編物を具備した自動販売機であり、特に、飲料容器落下の距離の長い、取出し口の高さの低い自動販売機では、有効に利用できるものである。又、外気温の高い夏季は飲料容器の露付きが多く、特に露付き防止性が有効に利用できるものである。
【図面の簡単な説明】
【００２９】
【図１】本発明の飲料用自動販売機の商品取出し口を説明した模式図である。
【符号の説明】
【００３０】
１    立体編物
２    商品落下口
３    商品スライド板
【図１】
2008107992.tif 000002